(57)【要約】      （修正有）【課題】化粧料の保持性に優れると共に、簡便に製造することが可能なブリッスル及びブリッスルを有する化粧ブラシを提供する。【解決手段】ブリッスル１０は、モノフィラメント１１上に、ドット状の凹部１２及び／又は凸部が形成されている。化粧ブラシは、上記のブリッスルを有する。【選択図】図１
0003134219.tif 000002
【実用新案登録請求の範囲】
【請求項１】
モノフィラメント上に、ドット状の凹部及び／又は凸部が形成されていることを特徴とするブリッスル。
【請求項２】
前記モノフィラメントは、ポリエステル樹脂又はポリアミド樹脂を含有することを特徴とする請求項１に記載のブリッスル。
【請求項３】
前記ポリエステル樹脂は、ポリ乳酸樹脂であることを特徴とする請求項２に記載のブリッスル。
【請求項４】
前記ドット状の凹部及び／又は凸部は、インクジェット法を用いて形成されていることを特徴とする請求項１乃至３のいずれか一項に記載のブリッスル。
【請求項５】
請求項１乃至４のいずれか一項に記載のブリッスルを有することを特徴とする化粧ブラシ。
【考案の詳細な説明】
【技術分野】
【０００１】
本考案は、ブリッスル及び化粧ブラシに関する。
【背景技術】
【０００２】
従来、化粧ブラシのブリッスルとしては、獣毛が多用されてきたが、獣毛の調達が困難になるに伴い、合成樹脂製のブリッスルが多用されつつある。合成樹脂製のブリッスルとしては、断面が略円形である直線状のモノフィラメントの先端をテーパー状としたものが一般的に知られている。しかしながら、合成樹脂製のブリッスルは、獣毛に比べて表面が平滑であるために、合成樹脂製のブリッスルが植毛された化粧ブラシには化粧液や化粧粉が付着しにくく、化粧液や化粧粉の保持性が劣るという問題がある。
【０００３】
そこで、合成樹脂製モノフィラメントからなり、少なくとも一端に尖鋭なテーパー部を形成したブリッスルであって、断面形状が異形断面であると共に、繊維軸方向に波形状を有することを特徴とする化粧ブラシ用ブリッスルが知られている（特許文献１参照）。しかしながら、このようなブリッスルは、製造方法が簡便ではないという問題がある。
【特許文献１】特開２００５−９５４５７号公報
【考案の開示】
【考案が解決しようとする課題】
【０００４】
本考案は、上記の従来技術が有する問題に鑑み、化粧料の保持性に優れると共に、簡便に製造することが可能なブリッスル及び該ブリッスルを有する化粧ブラシを提供することを目的とする。
【課題を解決するための手段】
【０００５】
請求項１に記載の考案は、ブリッスルにおいて、モノフィラメント上に、ドット状の凹部及び／又は凸部が形成されていることを特徴とする。
【０００６】
請求項２に記載の考案は、請求項１に記載のブリッスルにおいて、前記モノフィラメントは、ポリエステル樹脂又はポリアミド樹脂を含有することを特徴とする。
【０００７】
請求項３に記載の考案は、請求項２に記載のブリッスルにおいて、前記ポリエステル樹脂は、ポリ乳酸樹脂であることを特徴とする。
【０００８】
請求項４に記載の考案は、請求項１乃至３のいずれか一項に記載のブリッスルにおいて、前記ドット状の凹部及び／又は凸部は、インクジェット法を用いて形成されていることを特徴とする。
【０００９】
請求項５に記載の考案は、化粧ブラシにおいて、請求項１乃至４のいずれか一項に記載のブリッスルを有することを特徴とする。
【考案の効果】
【００１０】
本考案によれば、化粧料の保持性に優れると共に、簡便に製造することが可能なブリッスル及び該ブリッスルを有する化粧ブラシを提供することができる。
【考案を実施するための最良の形態】
【００１１】
次に、本考案を実施するための最良の形態を図面と共に説明する。
【００１２】
本考案のブリッスルは、モノフィラメント上に、ドット状の凹部及び／又は凸部が形成されている。図1に、本考案のブリッスルの一例として、モノフィラメント１１上に、ドット状の凹部１２が形成されているブリッスル１０を示す。このとき、モノフィラメントの材料は、特に限定されないが、ポリエステル樹脂、ポリアミド樹脂等を用いることができる。ポリエステル樹脂としては、ポリトリメチレンテレフタレート、ポリブチレンテレフタレート、ポリエチレンテレフタレート、これらを主体とする共重合体等が挙げられ、二種以上併用してもよい。これら以外のポリエステル樹脂としては、生分解性樹脂であるポリ乳酸樹脂が挙げられる。また、ポリアミド樹脂としては、６−ナイロン、６，６−ナイロン、６，１２−ナイロン等が挙げられ、二種以上併用してもよい。中でも、ポリトリメチレンテレフタレートは、柔軟性に優れるため、肌触りが良好なブリッスルを得ることができる。なお、モノフィラメントは、本考案の目的を阻害しない範囲であれば、耐熱剤、耐候剤、着色剤、可塑剤等の添加剤を含有することができる。
【００１３】
本考案において、ドット状の凹部及び／又は凸部の形状は、特に限定されないが、略半球状であることが好ましい。さらに、ドット状の凹部及び／又は凸部は、底面積が５〜３０μｍ、高さ（深さ）が５〜１５μｍであることが好ましい。また、フィラメントの表面積中のドット状の凹部及び／又は凸部の占有率は、３０〜６０％であることが好ましい。
【００１４】
本考案において、モノフィラメント上に、ドット状の凹部及び／又は凸部を形成する方法としては、特に限定されないが、インクジェット法、スプレーコート法等の塗布法が挙げられる。中でも、コンピュータで制御して塗布することにより、凹部及び／又は凸部のパターンを自在に調整することができることから、インクジェット法が好ましい。
【００１５】
なお、ポリエステル樹脂製のモノフィラメントにドット状の凹部を形成する際には、水酸化ナトリウムのメタノール溶液を吐出してフィラメントを所定のパターンで溶解させた後に、溶解した成分を洗浄等により除去すればよい。また、ポリアミド樹脂製のモノフィラメントにドット状の凹部を形成する際には、塩化カルシウムのメタノール溶液を吐出してフィラメントを所定のパターンで溶解させた後に、溶解した成分を洗浄等により除去すればよい。さらに、モノフィラメントにドット状の凸部を形成する際には、モノフィラメントに対する接着性を有する樹脂の溶液又は分散液を吐出してフィラメントに所定のパターンを形成した後に接着させればよい。モノフィラメントに対する接着性を有する樹脂としては、アクリル系、エポキシ系、ウレタン系等の紫外線硬化性樹脂等が挙げられる。
【００１６】
本考案において、インクジェット装置を用いて、液滴を吐出する際には、モノフィラメントの長さ方向を回転軸として、モノフィラメント又はインクジェットヘッドを回転させればよい。さらに、必要に応じて、モノフィラメントの長さ方向に、モノフィラメント又はインクジェットヘッドを移動させればよい。
【００１７】
本考案において、モノフィラメントは、公知の溶融紡糸方法を用いて製造することができる。このとき、モノフィラメントの断面は、特に限定されず、略円形であってもよいし、凹凸を有する形状であってもよい。凹凸を有する形状は、使用する化粧液や化粧粉の性状に応じて、多葉形、多角形等の中から適宜選択すればよい。
【００１８】
なお、本考案のブリッスルを作製する際には、モノフィラメントを適当な長さに切断した後に、ドット状の凹部及び／又は凸部を形成してもよいし、モノフィラメント上にドット状の凹部及び／又は凸部を形成した後に、適当な長さに切断してもよい。
【００１９】
また、必要に応じて、本考案のブリッスルの一端を溶解させて、テーパー部を形成してもよい。テーパー部を形成する方法としては、特に限定されないが、例えば、本考案のブリッスルを直線状に束ねてテープ等で周囲を保護したものを必要な長さにカットした後、一端を溶解させる方法が挙げられる。
【００２０】
さらに、本考案のブリッスルを波形状に加工してもよい。波形状に加工する方法としては、特に限定されないが、例えば、所定の形状を有する歯形の一対のギアの間に本考案のブリッスルを通過させる方法等が挙げられる。
【００２１】
また、本考案の化粧ブラシは、公知の植毛方法を用いて、本考案のブリッスルを基体に植毛することにより、作製することができる。図２に、本考案の化粧ブラシの一例として、基体２１にブリッスル１０が植毛されている化粧ブラシ２０を示す。このような化粧ブラシとしては、フェイスブラシ、マスカラブラシ、アイライナー筆等が挙げられる。
【実施例】
【００２２】
以下に、本考案を実施例に基づいて説明する。
【００２３】
［実施例１］
ポリトリメチレンテレフタレートのペレットのコルテラＴＭ  ＣＰ５１３０００（Ｓｈｅｌｌ  Ｃｈｅｍｉｃａｌｓ社製）を押出し機に投入し、２７０℃に加熱溶融させた樹脂を糸断面形状に対応する十字形状のノズルから押し出し、直ちに水中で冷却させた。次に、８０℃の温水中、さらに９０℃の温水中で合計４倍に延伸することによって、外接円直径０．１０ｍｍのモノフィラメントを得た。
【００２４】
得られたモノフィラメントを一旦、ロール状に巻き取った後、再度、インクジェット装置、加温槽及び水洗槽を通過させて巻き直し、ブリッスルを得た。なお、モノフィラメントがインクジェット装置を通過する際には、増粘した水酸化ナトリウム水溶液を吐出して、直径３０μｍ、深さ８μｍのドット状の凹部が５０％の占有率になるように加工した。
【００２５】
次に、得られたブリッスルを束ねた上で紙テープを巻き、直径５０ｍｍの束状としたブリッスル束を約６０ｍｍの長さにカットした後、ブリッスル束の片端を水酸化ナトリウム水溶液中に浸漬することにより、片端にテーパー部を形成した。さらに、ブリッスル束のテーパー部が形成されていない側をハンドルに植毛することにより、フェイスブラシを作製した。
【００２６】
［比較例１］
ドット状の凹部を形成しなかった以外は、実施例１と同様にして、フェイスブラシを作製した。
【００２７】
［評価方法及び評価結果］
成人女性６名（モニター１〜６）に、実施例１及び比較例１のフェイスブラシで粉体化粧料の頬紅を塗布してもらい、化粧料の保持性能を評価した。表１に、その評価結果を示す。
【００２８】
【表１】
0003134219.tif 000003
なお、獣毛に匹敵する優れた保持性能を有する場合を◎、獣毛には劣るが、実用上問題が無い保持性能を有する場合を○、化粧料の保持性能に問題がある場合を×として、判定した。
【図面の簡単な説明】
【００２９】
【図１】本考案のブリッスルの一例を示す図である。
【図２】本考案の化粧ブラシの一例を示す図である。
【符号の説明】
【００３０】
１０    ブリッスル
１１    モノフィラメント
１２    凹部
２０    化粧ブラシ
２１    基体
【図１】
0003134219.tif 000004
【図２】
0003134219.tif 000005